(57)【要約】【課題】ファクシミリ送信に際して、送信元の通信端末装置から、受信側の通信端末装置に対して、受信側の通信端末装置にて実施させる処理をＴＳＩ情報として命令することができるファクシミリ通信システムに用いられる、使い勝ってのよい通信端末装置を提供する。【解決手段】ファクシミリ送信時に、操作表示制御部２０４が、操作表示部２２１に、受信側の通信端末装置に実施させる処理を選択させる命令選択画面を表示させ、命令選択画面にて選択された命令処理に対応した命令コードを、ＴＳＩ情報設定部２０１がコードテーブルを参照して選択してＴＳＩ情報に設定し、ＴＳＩ情報送信部２０５が、設定されたＴＳＩ情報を、当該ファクシミリのＴＳＩ情報として送信する。【選択図】図１３
2011234313.tif 000002
【特許請求の範囲】
【請求項１】
ファクシミリを送信する送信元の通信端末装置から、ファクシミリを受信する受信側の通信端末装置に対して、該受信側の通信端末装置にて実施させる処理をファクシミリのＴＳＩ情報にて命令するファクシミリ通信システムにおいて使用される通信端末装置であって、
ファクシミリ送信時にユーザに当該ファクシミリにおいて送信するＴＳＩ情報を入力させるＴＳＩ情報入力指示部と、
ユーザが前記ＴＳＩ情報入力指示部を用いて入力したＴＳＩ情報を当該ファクシミリのＴＳＩ情報として設定するＴＳＩ情報設定部と、
前記ＴＳＩ情報設定部にて設定されたＴＳＩ情報を、当該ファクシミリのＴＳＩ情報として送信する送信部とを有することを特徴とする通信端末装置。
【請求項２】
情報を入力可能な操作表示部と、
処理に応じて設定された命令コードを格納する命令コード記憶部とを有し、
前記ＴＳＩ情報入力指示部は、前記操作表示部を用いて、受信側の通信端末装置に命令する処理を選択させる命令選択画面を表示し、ユーザにて選択された処理の情報を前記ＴＳＩ情報設定部に出力し、
前記ＴＳＩ情報設定部は、前記命令選択画面にて選択された処理に対応した命令コードを、前記命令コード記憶部を参照して生成し、ＴＳＩ情報として設定することを特徴とする請求項１に記載の通信端末装置。
【請求項３】
前記命令コードが、命令する処理の主たる処理内容を示す主コードと、主コードで示される処理を実施する上で必要に応じて付けられる１つ或いは複数の副コードとからなる場合、
前記ＴＳＩ情報入力指示部は、命令選択画面にて、副コードの入力が必要な主コードで示される処理が選択されると、副コードを生成するのに必要な詳細情報の入力を可能とする詳細情報入力画面を表示し、当該詳細情報入力画面にて入力された詳細情報も前記ＴＳＩ情報設定部に出力し、
前記ＴＳＩ情報設定部は、前記命令選択画面にて選択された処理に対応した主コードと、詳細情報入力画面にて入力された詳細情報に対応した副コードを含む命令コードを、前記命令コード記憶部を参照して生成し、ＴＳＩ情報として設定することを特徴とする請求項２に記載の通信端末装置。
【請求項４】
情報を入力可能な操作表示部を有し、
前記ＴＳＩ情報入力指示部は、前記操作表示部を用いて、受信側の通信端末装置に命令する処理に対応した命令コードを直接入力させる命令コード入力画面を表示し、ユーザに入力された命令コードを前記ＴＳＩ情報設定部に出力し、
前記ＴＳＩ情報設定部は、
前記命令コード入力画面にて選択された処理に対応した命令コードを、ＴＳＩ情報として設定することを特徴とする請求項１に記載の通信端末装置。
【請求項５】
請求項１〜４の何れか１項に記載の通信端末装置を動作させるプログラムであって、コンピュータを、前記ＴＳＩ情報入力指示部、及び前記ＴＳＩ情報設定部として機能させるためのプログラム。
【請求項６】
請求項５に記載のプログラムを記録したコンピュータ読み取り可能な記録媒体。
【発明の詳細な説明】
【技術分野】
【０００１】
本発明は、電話回線網を介して画像データをファクシミリ送信する通信端末装置に関するものである。
【背景技術】
【０００２】
近年、電話回線網においては、発信元の電話番号を受信側に通知する発信元電話番号通知サービス（例えば、日本国におけるナンバーディスプレイサービス）が提供されている。このサービスを利用することで、受信側の通信端末装置（以下、通信端末と略記する）は、電話回線網から通知される発信元電話番号を取得することができる。
【０００３】
従来、このような発信元電話番号通知サービスを利用したり、受信した画像データに含まれるＴＳＩ情報を利用したりして、受信側の通信端末が発信元ユーザ（発信元の通信端末）を特定し、受信した画像データに対して、発信元ユーザに応じた所定処理を行うといった、自動仕分けも行われている。
【０００４】
上記ＴＳＩ情報とは、ファクシミリ通信において、送信先との通信を確立するにあたり、発信元の通信端末より送信する情報である。ＴＳＩ情報は、画像データを送信する前のフェーズで送信され、画像データはその後のフェーズで送信される。
【０００５】
ＴＳＩ情報は、通信端末のユーザが設定する情報を元にした２０桁以内の情報であり、通常は、発信元ユーザを特定できるように、発信元の電話番号が設定される。これにより、受信側の通信端末は、ＴＳＩ情報を用いて発信元ユーザを特定することができる。
【０００６】
また、例えば特許文献１には、ファクシミリ装置において、発信元電話番号通知サービスを利用すると共に、着呼時のカデンス回数を検出して、受信した画像データを転送する技術が開示されている。
【０００７】
これによれば、発信元電話番号とカデンス回数とに対応づけて、例えば「短縮００に転送」などの処理が定められている。転送を希望する場合、発信元のファクシミリ装置からは、相手先の着呼時のカデンス回数が、希望する転送先への転送処理を示すように、予め取り決めたルールに基づいて設定する。受信側のファクシミリ装置においては、カデンス回数を検出し、送信元電話番号と検出したカデンス回数とに応じて決定される相手先へと受信した画像データを送信（転送）する。
【０００８】
また、近年、コピー機能だけでなく、プリンタ機能、スキャナ機能、ファクシミリ機能、画像ファイリング機能等、複数の機能を兼ね備えた複合機と称される画像形成装置が普及しており、このような複合機にて、ファクシミリ送信されてきた画像データを受信して処理することも多くなってきている。
【先行技術文献】
【特許文献】
【０００９】
【特許文献１】特開平１１−８７５１号公報（１９９９年１月１２日公開）
【発明の概要】
【発明が解決しようとする課題】
【００１０】
しかしながら、上述のようなファクシミリの仕分け技術には、以下のような問題点がある。
【００１１】
受信側の通信端末が、発信元電話番号通知サービスやＴＳＩ情報を利用して、発信元ユーザを特定し、発信元ユーザに応じた処理を行う技術では、発信元ユーザ毎に予め定められている１つの処理しか実施することができない。
【００１２】
一方、ファクシミリ装置が、発信元電話番号とカデンス回数とに対応付けて、転送などを行う特許文献１の技術の場合は、発信元電話番号に加えてカデンス回数を利用しているので、発信元ユーザ毎に定められた１つの処理しかできないといった問題はない。
【００１３】
しかしながら、カデンス回数を利用しているため、カデンス回数を検出するための、特別な手段を設ける必要がある。また、転送先の情報（電話番号）については、発信元ユーザと着信側ユーザとの間で取り決めを行った上で予め設定しておく必要があり、発信元ユーザが、ファクシミリを送信する度に転送先を指定するといったことはできない。
【００１４】
また、利用できるカデンス回数は限られるため、設定できる処理数が限られるといった問題もある。上述したように、近年、複合機が普及しており、このような複合機にて、ファクシミリ送信されてきた画像データを受信して処理することも多くなってきている。上記したカデンス回数を利用して処理を設定する技術では、このような複数の機能を備えた複合機の機能を使いこなすような仕分け処理は実施できない。
【００１５】
本願出願人は、上記課題を解決するものとして、先に新規なファクシミリ通信システムを発明し、既に特許出願している。本願出願人が先に発明したファクシミリ通信システムでは、発信元電話番号通知サービスの提供により、受信側に発信元を知らせるといった役目のなくなったＴＳＩ情報を利用して、発信元の通信端末装置より受信側の通信端末装置に対して実施する処理を命令することができる。
【００１６】
つまり、ファクシミリの発信元となるユーザと受信側となるユーザとの間で、受信側ユーザの有する通信端末装置の機能に応じて、ＴＳＩ情報に含める命令コードにて命令する処理を種々設定しておく。そして、送信元のユーザは、受信側の通信端末装置における処理をＴＳＩ情報にて命令し、受信側の装置は、ＴＳＩ情報にて命令された処理を実施する。これにより、ユーザは、受信した情報の内容や重要性に応じた仕分け作業を、自らの手を煩わせることなく通信端末装置において実施させることができるので、非常に利便性の高いものとなる。
【００１７】
また、処理の命令にＴＳＩ情報を用いているので、カデンス回数を検出するための特別な手段を設ける必要がない。また、ＴＳＩ情報を用いることで、数字にて電話番号を情報に含めることができるので、受信側の通信端末装置に、電話番号が登録されていない相手先への転送も可能となる。また、２０桁で構成されるＴＳＩ情報を利用することで、受信側の通信端末装置が、近年、普及している複合機であったとしても、送信側より、複合機の機能を使いこなすような処理命令も可能になる。
【００１８】
しかしながら、ここで、別途問題になるのは、従来の通信端末装置では、ＴＳＩ情報を送信毎に設定するような仕様を想定しておらず、ＴＳＩ情報に命令コードを含めて送信するにあたり、甚だ操作性に劣る点である。
【００１９】
本発明は、本願出願人が先に提案している新規なファクシミリ通信システムに適した、使い勝ってのよい通信端末装置を提供することを目的としている。
【課題を解決するための手段】
【００２０】
本発明の通信端末装置は、上記課題を解決するために、ファクシミリを送信する送信元の通信端末装置から、ファクシミリを受信する受信側の通信端末装置に対して、該受信側の通信端末装置にて実施させる処理をファクシミリのＴＳＩ情報にて命令するファクシミリ通信システムにおいて使用される通信端末装置であって、ファクシミリ送信時にユーザに当該ファクシミリにおいて送信するＴＳＩ情報を入力させるＴＳＩ情報入力指示部と、ユーザが前記ＴＳＩ情報入力指示部を用いて入力したＴＳＩ情報を当該ファクシミリのＴＳＩ情報として設定するＴＳＩ情報設定部と、前記ＴＳＩ情報設定部にて設定されたＴＳＩ情報を、当該ファクシミリのＴＳＩ情報として送信する送信部とを有することを特徴としている。
【００２１】
上記構成によれば、ＴＳＩ情報入力指示部が、ファクシミリ送信時に、ユーザに当該ファクシミリにおいて送信するＴＳＩ情報を入力させ、ＴＳＩ情報設定部が、ユーザがＴＳＩ情報入力指示部を用いて入力したＴＳＩ情報を当該ファクシミリのＴＳＩ情報として設定し、送信部がＴＳＩ情報として送信する。
【００２２】
これにより、従来の通信端末装置では、初期設定画面等で入力設定するようになっており、ファクシミリの送信時に、入力設定できるようになっていなかったＴＳＩ情報を、送信先の電話番号のように、ファクシミリの送信毎に簡単に設定できるようになるので、ファクシミリの送信元から受信側の通信端末装置に対して実施すべき処理をＴＳＩ情報を用いて命令する、本願出願人が先に提案している新規なファクシミリ通信システムに適した、使い勝ってのよい通信端末装置を提供することができる。
【００２３】
本発明の通信端末装置においては、さらに、情報を入力可能な操作表示部と、処理に応じて設定された命令コードを格納する命令コード記憶部とを有し、前記ＴＳＩ情報入力指示部は、前記操作表示部を用いて、受信側の通信端末装置に命令する処理を選択させる命令選択画面を表示し、ユーザにて選択された処理の情報を前記ＴＳＩ情報設定部に出力し、前記ＴＳＩ情報設定部は、前記命令選択画面にて選択された処理に対応した命令コードを、前記命令コード記憶部を参照して生成し、ＴＳＩ情報として設定する構成とすることもできる。
【００２４】
上記構成によれば、ＴＳＩ情報入力指示部が、操作表示部を用いて、受信側の通信端末装置に命令する処理を選択させる命令選択画面を表示する。命令選択画面は、例えば、操作表示部がタッチパネル式であれば、送信元の通信端末装置にて命令することのできる各処理に対応した選択キーを複数表示して、その中から選択させる構成とすればよい。命令選択画面にてユーザが選択した処理の情報は、前記ＴＳＩ情報設定部に出力され、ＴＳＩ情報設定部は、該情報を基に、ユーザに選択された処理に対応した命令コードを、命令コード記憶部を参照して生成し、ＴＳＩ情報として設定する。
【００２５】
これにより、ユーザは、ファクシミリ送信時に、命令選択画面から命令する処理を選択するといった簡単な操作にて、受信側の通信端末装置に対して、実施させる処理をＴＳＩ情報を用いて命令することができる。
【００２６】
本発明の通信端末装置においては、さらに、前記命令コードが、命令する処理の主たる処理内容を示す主コードと、主コードで示される処理を実施する上で必要に応じて付けられる１つ或いは複数の副コードとからなる場合、前記ＴＳＩ情報入力指示部は、命令選択画面にて、副コードの入力が必要な主コードで示される処理が選択されると、副コードを生成するのに必要な詳細情報の入力を可能とする詳細情報入力画面を表示し、当該詳細情報入力画面にて入力された詳細情報も前記ＴＳＩ情報設定部に出力し、前記ＴＳＩ情報設定部は、前記命令選択画面にて選択された処理に対応した主コードと、詳細情報入力画面にて入力された詳細情報に対応した副コードを含む命令コードを、前記命令コード記憶部を参照して生成し、ＴＳＩ情報として設定する構成とすることもできる。
【００２７】
上記構成によれば、命令コードが主コードと副コードとからなる場合には、前記ＴＳＩ情報入力指示部が、副コードを生成するのに必要な詳細情報の入力を可能とする詳細情報入力画面を表示し、前記ＴＳＩ情報設定部は、前記命令選択画面にて選択された処理に対応した主コードと、詳細情報入力画面にて入力された詳細情報に対応した副コードを含む命令コードをＴＳＩ情報として設定する。
【００２８】
例えば、指定する処理が転送処理である場合、命令コードは、転送処理であることを示す主コードと、転送先の電話番号を示す副コードとを含む構成となるが、上記構成とすることで、転送先の電話番号を示す副コードを、詳細情報入力画面を用いて簡単に入力することが可能となる。
【００２９】
本発明の通信端末装置においては、さらに、情報を入力可能な操作表示部を有し、前記ＴＳＩ情報入力指示部は、前記操作表示部を用いて、受信側の通信端末装置に命令する処理に対応した命令コードを直接入力させる命令コード入力画面を表示し、ユーザに入力された命令コードを前記ＴＳＩ情報設定部に出力し、前記ＴＳＩ情報設定部は、前記命令コード入力画面にて選択された処理に対応した命令コードを、ＴＳＩ情報として設定する構成とすることもできる。
【００３０】
上記構成によれば、ＴＳＩ情報入力指示部が、操作表示部を用いて、受信側の通信端末装置に命令する処理に対応した命令コードを直接入力させる命令コード入力画面を表示する。命令コード入力画面は、例えば、操作表示部がタッチパネル式であれば、ＴＳＩ情報に用いることのできる数字および記号を入力できる入力キーと、入力したコードが表示される表示領域とを含み、表示された入力キーを用いて、表示領域に命令コードを入力していく構成が考えられる。
【００３１】
命令コード入力画面にてユーザが入力した命令コードは、前記ＴＳＩ情報設定部に出力され、ＴＳＩ情報設定部は、該命令コードをＴＳＩ情報として設定する。
【００３２】
受信側の通信端末装置に命令する処理が複雑であり、命令選択画面以外に、複数層の詳細情報入力画像形成装置面を用いて副コードを生成するための詳細情報を入力する必要がある場合など、ユーサが操作を面倒と感じる場合がある。
【００３３】
このような場合に、命令コード入力画面を設けておくことで、命令コードを熟知したユーザにとっては、１ステップで命令を指定できるようになり、通信端末装置としての利便性が向上する。
【００３４】
また、前記通信端末装置におけるＴＳＩ情報入力指示部、及びＴＳＩ情報設定部は、コンピュータによって実現してもよく、この場合には、コンピュータを前記通信端末装置におけるＴＳＩ情報入力指示部、及びＴＳＩ情報設定部として動作させることにより、前記通信端末装置をコンピュータにて実現させるプログラム、及びそれを記録したコンピュータ読み取り可能な記録媒体も、本発明の範疇に含まれる。
【発明の効果】
【００３５】
これにより、従来の通信端末装置では、初期設定画面等で入力設定するようになっており、ファクシミリの送信時に、入力設定できるようになっていなかったＴＳＩ情報を、送信先の電話番号のように、ファクシミリの送信毎に簡単に設定できるようになる。
【００３６】
それゆえ、ファクシミリの送信元から受信側の通信端末装置に対して実施すべき処理をＴＳＩ情報を用いて命令する、本願出願人が先に提案している新規なファクシミリ通信システムに適した、使い勝ってのよい通信端末装置を提供することができるという効果を奏する。
【図面の簡単な説明】
【００３７】
【図１】本発明の通信端末装置が前提とするファクシミリ通信システムにおける受信側の通信端末装置であり、ファクシミリの発信元からの命令に従って処理する命令実施処理を実施する複合機、の機能ブロック図である。
【図２】図１の複合機の回路ブロック図である。
【図３】従来のファクシミリ通信に用いられているＴＳＩ情報の例を示す図である。
【図４】発信元電話番号通知サービスを提供する加入者交換機と情報受信端末との接続シーケンスを説明する図である。
【図５】図１の複合機が備える、第１発信元電話番号テーブルの内容例を示す図である。
【図６】本実施の形態のファクシミリ通信システムに用いられるＴＳＩ情報の例を示す図である。
【図７】図１の複合機が備える、命令テーブルの内容例を示す図である。
【図８】上記ファクシミリ通信システムに用いられるＴＳＩ情報の例を示す図である。
【図９】上記ファクシミリ通信システムにおける処理の一例のイメージを示すものであり、発信元のファクシミリ装置からファクシミリ送信された画像データを、発信元のファクシミリ装置の命令に従って、指定された相手先のファクシミリ装置へと、図１の複合機が転送する処理のイメージを示す図である。
【図１０】上記ファクシミリ通信システムに用いられるＴＳＩ情報の例を示す図である。
【図１１】図１の複合機における命令実施処理の手順を示すフローチャートである。
【図１２】本発明の実施形態を示すもので、ファクシミリの送信元の通信端末装置としての複合機であって、ファクシミリの発信元から送信先の複合機に対して処理を命令する命令指定処理を実施する複合機の回路ブロック図である。
【図１３】命令指定処理を行う図１２の複合機の、機能ブロック図である。
【図１４】図１２の複合機が備える、コードテーブルの内容例を示す図である。
【図１５】図１２の複合機が備える、命令指定許可電話番号テーブルの内容例を示す図である。
【図１６】図１２の複合機の操作表示部に表示される命令選択画面の例を示す図である。
【図１７】図１６の命令選択画面における時刻指定プリントキーが操作されて表示される、時刻指定プリントの詳細情報入力画面の例を示す図である。
【図１８】図１６の命令選択画面における期間保持プリントキーが操作されて表示される、期間保持プリントの詳細情報入力画面の例を示す図である。
【図１９】図１６の命令選択画面における転送キーが操作されて表示される、転送処理の詳細情報入力画面の例を示す図である。
【図２０】図１６の命令選択画面におけるファイリング保存キー或いは指定フォルダ返信キーが操作されて表示される、フォルダＩＤ入力の詳細情報入力画面の例を示す図である。
【図２１】図１６の命令選択画面における命令直接入力キーが操作されて表示される、命令直接入力処理の詳細情報入力画面の例を示す図である。
【図２２】図１２の複合機における命令指定処理の手順を示すフローチャートである。
【図２３】図１２の複合機において、命令指定処理で設定したＴＳＩ情報の例の一覧を示す図である。
【図２４】図１２の複合機において、命令指定処理で設定したＴＳＩ情報の例の一覧を示す図である。
【図２５】本発明の通信端末装置が前提とするファクシミリ通信システムにおける受信側の通信端末装置である、ファクシミリの発信元からの命令に従って処理する命令実施処理を実施する別の複合機が備える、命令テーブルの内容例を示す図である。
【図２６】図２５に示す複合機が含まれるファクシミリ通信システムに用いられるＴＳＩ情報の例を示す図である。
【図２７】本発明の他の実施形態を示すもので、図２５に示す別の複合機が含まれるファクシミリ通信システムにおいて、送信元の通信端末装置としての複合機において表示される、命令直接入力処理の詳細情報入力画面の例を示す図である。
【発明を実施するための形態】
【００３８】
［実施の形態１］
以下、本発明の実施の一形態について、図１〜図２４を用いて以下に説明する。
【００３９】
まず、図１〜１０を用いて、本発明の通信端末装置が前提としている、本願出願人が先に提案している新規なファクシミリ通信システムについて説明する。
【００４０】
図２に、上記ファクシミリ通信システムにおける受信側の通信端末装置としての複合機（ＭＦＰ装置）１の回路ブロック図を示す。
【００４１】
複合機１は、主制御部１２、システムメモリ１３、パラメータメモリ１４、スキャナ１５、プリンタ１６、網制御部１７、モデム（ＮＣＵ：Network Control Unit）１８、画像蓄積メモリ１９、符号化・復号化部２０、操作表示部２１を備え、上記各部は、システムバス２３により接続されている。
【００４２】
システムメモリ１３は、ＲＯＭ（Read Only Memory）及びＲＡＭ（Random Access Memory）などで構成されており、複合機１における、複写処理、印刷処理、ファクシミリ通信処理、画像ファイリング処理等の基本処理プログラムと共に、ファクシミリを受信した際に、ファクシミリの送信元からＴＳＩ情報にて命令された処理を実施する命令実施処理プログラムが格納されている。また、これら各種の処理プログラムを実行するのに必要な各種データ及びシステムデータが格納されている。
【００４３】
さらに、システムメモリ１３は、主制御部１２のワークメモリとしても利用され、主制御部１２が、各種の処理プログラムに基づいて複合機１の各部を制御する際の演算途中の各種データや演算結果の各種データ、例えば、後述する回線Ｌから通知される発信元電話番号やＴＳＩ情報等を記憶する。
【００４４】
主制御部１２は、ＣＰＵ（Central Processing Unit）などを備え、システムメモリ１３内の各種の基本処理プログラム及び命令実施処理プログラムに基づいて、システムメモリ１３をワークメモリとして利用しつつ複合機１の各部を制御して、複合機１としての基本処理を実行するとともに命令実施処理を実行する。
【００４５】
パラメータメモリ（第１、第２発信元電話番号記憶部、処理内容記憶部）１４は、命令実行処理における命令を受け付ける（処理を命令することを許可する）ファクシミリの送信元（発信元）の電話番号を記憶した第１発信元電話番号テーブル５（図５参照）を記憶すると共に、ＴＳＩ情報に含まれた命令コードと処理内容との関係を示す命令テーブル（図７参照）等を記憶している。
【００４６】
スキャナ１５は、例えば、ＣＣＤ（Charge Coupled Device ）を利用したイメージスキャナ等よりなり、一般に、ＡＤＦ（自動原稿送り装置）を備えている。ＡＤＦには、複数枚の原稿がセットされ、ＡＤＦは、セットされた原稿を１枚ずつスキャナ１５の原稿読取位置に送給する。スキャナ１５は、ＡＤＦから搬送されてきた原稿を走査し、原稿の画像を所定の解像度で読み取り画像データを生成する。
【００４７】
プリンタ１６は、例えば、インクジェットや電子写真方式を利用した記録装置よりなり、受信した画像データやスキャナ１５で読み取った画像データを記録用紙にプリント（記録出力）する。
【００４８】
網制御部１７には、回線Ｌ、例えば、公衆電話回線等が接続されており、回線の捕捉、発信元電話番号である選択信号の送出及び着信の検出等を行って、所定の発呼動作及び着信動作を行う。複合機１に接続されている回線Ｌは、発信元電話番号通知サービスを提供する。
【００４９】
モデム（発信元電話番号取得部、ＴＳＩ情報取得部）１８は、網制御部１７に接続されており、網制御部１７を介して電話回線と接続されている。モデム１８は、例えば、Ｇ３（グループ３）のファクシミリモデム機能を備えている。モデム１８は、伝送制御信号を送受信するための低速モデム（例えば、Ｖ．２１等）及び主に画像データを送受信するための高速モデム（例えば、Ｖ．１７、Ｖ．２９あるいはＶ．２７等）等を備え、特に、発信元電話番号を受信するためのモデム機能（例えば、Ｖ．２３）を備えている。モデム１８は、モデム機能を使用して、送信信号の変調及び受信信号の復調を行うとともに、回線Ｌの提供する発信元電話番号通知サービスにより通知される発信元電話番号を取得して、取得した発信元電話番号を主制御部１２に出力する。また、送信元より送信されるＴＳＩ情報を受信して取得し、主制御部１２に出力する。
【００５０】
主制御部１２は、モデム１８より入力される発信元電話番号が、第１発信元電話番号テーブルに格納されているかどうかを判断する。また、主制御部１２は、モデム１８より入力されるＴＳＩ情報に命令コードが含まれているかどうかを判断する。そして、主制御部１２は、入力された発信元電話番号が、第１発信元電話番号テーブル５に格納されており、かつ、ＴＳＩ情報に命令コードが含まれていると判断すると、命令テーブル６を参照し、命令コードに対応した処理を決定し、各種処理部７へ命令された処理を実施するよう通知する。
【００５１】
画像蓄積メモリ１９は、ハードディスク等で構成され、スキャナ１５により読み取られた原稿の画像データを蓄積するとともに、受信した画像データを蓄積する。読み取った画像データや、受信した画像データは、予め定められている所定の蓄積用ファルダに蓄積される。また、画像蓄積メモリは、主制御部１２による画像ファイリング（ファイリング保存）処理のデータ格納先としても利用され、画像ファイリングされる画像データを保存する記憶装置でもある。また、命令実施処理における返信処理にて発信元へと送信される画像データの格納先の記憶装置でもある。
【００５２】
符号化・復号化部２０は、画像データの画像蓄積メモリ１９への蓄積の効率化及び伝送時間の短縮化を図るためのものであり、所定の符号化方式に従って画像データを符号化し、また、符号化された画像データを復号化する。
【００５３】
操作表示部２１は、テンキー、スタートキー及びワンタッチキー等の各種操作キーを備えるとともに、ディスプレイ（例えば、液晶ディスプレイ）を備え、操作キーからは、送信操作等の各種命令が入力され、ディスプレイには、操作キーから入力された命令内容や複合機１から複合機１のオペレータに通知する各種情報が表示される。
【００５４】
次に、複合機１にて実施される、ファクシミリのＴＳＩ情報にて命令された処理を実施する命令実施処理について説明する。
【００５５】
複合機１は、その特徴として、発信元電話番号通知サービスを提供する回線Ｌを介して相手先のファクシミリ装置（通信端末）から送信されてくるＴＳＩ情報に含まれる命令コードを判別し、命令コードにて命令された処理を実施する機能を有している。
【００５６】
ＴＳＩ情報とは、ファクシミリ通信において、送信先との通信を確立するにあたり、発信元の通信端末より送信する情報である。ＴＳＩ情報は、送信側の通信端末の識別が入っている情報であり、通信端末にユーザが自由に登録する電話番号等の情報を２０桁以内で格納している。通常は、受信側でファクシミリの発信元が特定できるように、図３に示すような、「電話番号」が、ＴＳＩ情報として設定される。
【００５７】
ＴＳＩ情報として、アルファベットを使える機種もあるが、一般的なファクシミリ装置においては、ＴＳＩ情報は、「０〜９」までの数字と、「＋」、「＊」、「＃」及び「  （スペース）」にて構成されている。
【００５８】
しかしながら、近年提供されるようになった発信元電話番号知サービスを利用することで、ＴＳＩ情報に発信元の電話番号を設定しなくても、受信側では発信元を特定することが可能となる。
【００５９】
そこで、本実施形態の通信端末装置が前提としているファクシミリ通信システムでは、複合機１と相手先の通信端末との間で、受信側の通信端末装置である複合機１が実施する処理内容と、その処理を命令する命令コードとを予め取り決めておく（ルール化しておく）。そして、発信元ユーザは、発信元の通信端末装置より、受信側の通信端末装置に実施させる処理の命令コードをＴＳＩ情報に含ませて送信し、受信側の通信端末装置である複合機１においては、ＴＳＩ情報に含まれる命令コードにて命じられる処理を実施する。
【００６０】
まず、図４を用いて、発信元電話番号通知サービスを提供する加入者交換機と情報受信端末との接続シーケンスを説明する。
【００６１】
複合機１の接続されている回線Ｌは、発信元の電話番号（発信元電話番号）を着信元に通知する発信元電話番号通知サービスを提供する。すなわち、当該回線Ｌの交換機（加入者線交換機）は、図４に示すように、情報受信端末（複合機１等）に着信を行う際に、まず、発信元の情報端末（電話機やファクシミリ装置等）から回線Ｌ（Ｌ１、Ｌ２）の極性を反転した後、情報受信端末起動信号を送出する情報受信端末の起動処理を行い、次いで、情報受信端末から１次応答信号（直流ループ）を受信すると、発信元電話番号（Ｖ．２３モデム）を情報受信端末に送信する情報の送出を行う。次に、交換機は、情報受信端末から受信完了信号（直流ループ断）を受信すると、呼出信号を情報受信端末に送出するとともに、同時に、発信側へ呼出音を送出する端末の呼出を行い、情報受信端末から２次応答信号（直流ループ）を受信すると、発信元の情報端末から回線Ｌ（Ｌ１、Ｌ２）の極性を復極し、通信パスを形成する。通信パスが形成されることで、発信元の情報端末より情報受信端末へとファクシミリ通信が行われる中で、情報端末の能力交換手順が行われる中に、送信側からのＴＳＩ情報が通知される。
【００６２】
図４の情報受信端末としての複合機１は、回線Ｌの発信元電話番号通知サービスとＴＳＩ情報とを利用して、命令実施処理を実施する。また、ファクシミリの発信元となるファクシミリ装置は、受信側の通信端末装置である複合機１との間で、予め定められている取り決めに従って設定された命令コードであり、複合機１にて実施させる処理を命令する命令コードが含まれたＴＳＩ情報を送信する送信部を少なくとも有している。
【００６３】
図１に、ファクシミリのＴＳＩ情報にて送信元より命令された処理の内容を判別し、これを実施する複合機１の機能ブロック図を示す。
【００６４】
着信があると、図２のモデム１８にて構成される発信元電話番号取得部２が、発信元の電話番号である発信元電話番号を取得し、図２の主制御部１２にて構成される処理決定部４に出力する。また、着信がファクシミリ通信である場合、図２のモデム１８にて構成されるＴＳＩ情報取得部３が、発信元の情報端末より情報受信端末へとファクシミリ通信が行われる中で、情報端末の能力交換手順が行われる中に、送信側から送信されたＴＳＩ情報を取得し、図２の主制御部１２にて構成される処理決定部４に出力する。
【００６５】
処理決定部４は、図２のパラメータメモリ１４に記憶されている第１発信元電話番号テーブル５を参照して、発信元電話番号取得部２より入力された発信元電話番号が格納されているかどうかを判断する。
【００６６】
図５に、第１発信元電話番号テーブル５の一例を示す。第１発信元電話番号テーブル５には、命令実施処理の対象となる相手先（換言すれば、命令実施処理を行うことが許可されている相手先）の電話番号が格納されている。この第１発信元電話番号テーブル５は、図２の操作表示部２１のキー操作により設定することができ、また、その内容の変更及び消去を行うことができる。
【００６７】
なお、短縮番号「００１」、「００２」…などを割り当てて、電話番号を含む相手先情報を管理する相手先情報管理テーブルを備えている構成においては、第１発信元電話番号テーブル５に代えて、該管理テーブルにおいて、登録されているユーザ毎（発信元電話番号毎）に、命令実施処理の対象であるかどうかを設定するようにしてもよい。
【００６８】
さらに、処理決定部４は、ＴＳＩ情報取得部３より入力されたＴＳＩ情報に命令コードが含まれているか否かを判別し、含まれている場合は、図２のパラメータメモリ１４に記憶されている命令テーブル６を参照して、命令コードに対応する処理を実施する処理として決定し、各種処理部７へ処理の実行を指示する。
【００６９】
複合機１においては、後述する図１１のフローチャートに示すように、処理決定部４は、ＴＳＩ情報に命令コードが含まれているかどうかをまず判断し、命令コードが含まれている場合に、発信元電話番号が第１発信元電話番号テーブル５に登録されているかどうかを判断する第１の手順としているが、先に発信元電話番号の登録を確認し、そのあと命令コードを確認する、第１の手順とは逆の第２の手順であってもよい。各手順のメリットとしては、先に発信元電話番号の登録有無を確認する場合、同一の命令コードを発信元によって異なる意味の命令として使用でき、２０桁の制限と使用可能文字からくるコード組み合わせの不自由さをある程度解消できる上に、発信元毎の詳細なカスタマイズが可能となる。
【００７０】
各種処理部７は、処理決定部４にて決定された処理を、複合機１における印刷処理、ファクシミリ送受信処理、画像ファイリング処理等の基本処理プログラムを利用して実施する。具体的には、受信した画像データであって、画像蓄積メモリ１９の所定の蓄積用フォルダに格納されている画像データを、プリンタ１６を用いて記録用紙に出力（プリント）したり（印刷処理）、符号化・復号化部２０、モデム１８、及び網制御部１７を用いて、指定された相手先に転送したり（転送処理）、或いは、画像ファイリング処理にて、画像蓄積メモリ１９における指定された保存先にファイリング保存したりする（保存処理）。また、各種処理部７は、ファクシミリの発信元に、画像蓄積メモリ１９に予め格納されている画像データを返信する返信処理（指定フォルダ返信処理）も実施する。
【００７１】
図６に、上記のような取り決めのもと、複合機１へと送信されてきたＴＳＩ情報の一例を示す。図６の例では、命令コード「＋＋＃００１」が含まれている状態である。本実施の形態の通信端末装置が前提としているファクシミリ通信システムにおいては、相手先との取り決めのもと、ＴＳＩ情報の先頭の６桁に、命令コードのうちのメインコード（主コード）を入力し、６桁目以降に、メインコードで示される処理を実施するのに必要な詳細情報であるサブコード（副コード）を必要に応じて入力するようになっている。したがって、命令コードは、６桁のメインコードのみからなるものもあれば、６桁を超えるメインコード＋サブコードとで構成されているものもある。なお、以下、メインコードとサブコードとを特に区別する必要がある場合を除いて、メインコード単独で構成される命令コードも、メインコード＋サブコードで構成される命令コードも、命令コードと称する。
【００７２】
処理決定部４は、ＴＳＩ情報の先頭６桁のメインコードを抽出し、抽出した６桁の文字列を、命令テーブル６に参照して、命令テーブル６に記憶されている命令コード群の中にあるかどうかを判断する。
【００７３】
そして、命令コードが含まれている場合は、命令コードに対応付けられている処理を読み出し、これを送信元より命令された処理であると決定し、各種処理部７へと指示する。
【００７４】
なお、ＴＳＩ情報における先頭６桁のうちの先頭からの３桁を数字ではなく記号としていることで、先頭が０番より始まる電話番号との区別が付け易い。また、先頭からの３桁が数字ではなく記号である場合のみ、命令テーブル６に記憶されている命令コード群の中にあるかどうかを判断させる構成としてもよい。
【００７５】
図７に、命令テーブル６の一例を示す。図７に示すように、命令コードと処理内容とがテーブル形式で設定されており、命令コード毎に、当該命令コードに対する複合機１での処理内容が設定されている。この命令テーブル６は、複合機１の操作表示部２１のキー操作により設定することができ、また、その設定内容の変更及び消去を行うことができる。
【００７６】
図７に設定されている各命令コードの処理内容について、図８（ａ）〜（ｆ）に示すＴＳＩ情報の具体例と共に説明する。
【００７７】
命令コードのメインコード「＋＋＃００１」には、処理内容として、即時プリント処理が設定されている。即時プリント処理では、画像蓄積メモリ１９の所定の蓄積用フォルダに格納された当該ファクシミリ通信にて受信した画像データが、プリンタ１６を用いて即刻プリント（印刷）される。
【００７８】
命令コードのメインコード「＋＋＃００２」には、処理内容として、メインコードに続くサブコードで示される時刻にプリントする処理（時刻指定プリント処理）が設定されている。
【００７９】
時刻指定プリント処理では、画像蓄積メモリ１９の所定の蓄積用フォルダに格納された当該ファクシミリ通信にて受信した画像データが、指定された時刻にプリントされる。図８（ａ）に、このようなメインコード「＋＋＃００２」とプリント時刻を指定するサブコード「＋＊１０００」とを含むＴＳＩ情報を示す。サブコード「＋＊１０００」に従って、午前１０：００にプリントされる。例えば、午後１１：２０にプリントさせたい場合は、発信元ユーザは、サブコードを「＊＋１１２０」とすればよい。つまり、ＴＳＩ情報に、命令コード「＋＋＃００２＊＋１１２０」を含めればよい。
【００８０】
命令コードのメインコード「＋＋＃００３」には、処理内容として、メインコードに続くサブコードで示される日数待機した後プリントする処理（期間保持プリント処理）が設定されている。期間保持プリント処理では、画像蓄積メモリ１９の所定の蓄積用フォルダに格納された当該ファクシミリ通信にて受信した画像データが、指定された期間保持された後にプリントされる。図８（ｂ）に、このようなメインコード「＋＋＃００３」と保持する時間を指定するサブコード「＃＊＊０００６」とを含むＴＳＩ情報を示す。サブコード「＃＊＊０００６」に従って、受信日より６日間保持（待機）した後、プリントされる。例えば、送信日より３日間後にプリントさせたい場合は、発信元ユーザは、サブコードを「＃＊＊０００３」とすればよい。つまり、ＴＳＩ情報に、命令コード「＋＋＃００３＃＊＊０００３」を含めればよい。
【００８１】
命令コードのメインコード「＋＋＃００４」には、処理内容として、見てからプリント処理が設定されている。見てからプリント処理では、画像蓄積メモリ１９の所定の蓄積用フォルダに格納された当該ファクシミリ通信にて受信した画像データに対してはプリントする処理を実施せず、操作表示部２１等を利用して、複合機１のオペレータに、ファクシミリを受信したことを報知するのみに留める。そして、オペレータがプリント（印刷）を指示した場合にプリントする。これにより、不要なプリントを回避できる。
【００８２】
命令コードのメインコード「＋＃＃００１」には、処理内容として、メインコードに続くサブコードで示される電話番号に転送する処理（転送処理）が設定されている。この処理では、画像蓄積メモリ１９の所定の蓄積用フォルダに格納された当該ファクシミリ通信にて受信した画像データが、指定されている電話番号に、ファクシミリ通信の機能を用いて転送される。図８（ｃ）に、このようなメインコード「＋＃＃００１」と転送先の電話番号であるサブコード「０１２３４５６７８９」とを含むＴＳＩ情報を示す。サブコード「０１２３４５６７８９」の電話番号に、画像データは転送される。図９に、発信元のファクシミリ装置１０１からファクシミリ送信された画像データを、発信元のファクシミリ装置１０１が指定した相手先のファクシミリ装置１０２へと、複合機１が転送する処理のイメージを示す。
【００８３】
命令コードのメインコード「＋＃＃００２」には、処理内容として、メインコードに続くサブコードで示される短縮番号に転送する処理（転送処理）が設定されている。この処理では、画像蓄積メモリ１９の所定の蓄積用フォルダに格納された当該ファクシミリ通信にて受信した画像データが、指定されている短縮番号の相手先にファクシミリ通信の機能を用いて転送される。図８（ｄ）に、このようなメインコード「＋＃＃００２」と転送先の短縮番号であるサブコード「♯００１」とを含むＴＳＩ情報を示す。サブコード「♯００１」が示す短縮番号「００１」の相手先に、画像データは転送される。
【００８４】
このようなメインコード「＋＃＃００２」は、図２のパラメータメモリ１４が、相手先情報管理テーブルを備えている場合であり、複合機１の管理テーブルにおける相手先と短縮番号との対応付けを、発信元ユーザが認識していることが前提となる。
【００８５】
命令コードのメインコード「＃＃＊００１」には、処理内容として、メインコードに続くサブコードで示されるフォルダに画像ファイリングする処理（ファイリング保存処理、保存処理）が設定されている。この処理では、画像蓄積メモリ１９の所定の蓄積用フォルダに格納された当該ファクシミリ通信にて受信した画像データが、画像蓄積メモリ１９内の指定されている画像ファイリング用の所定フォルダに保存される。図８（ｅ）に、このようなメインコード「＃＃＊００１」と保存先のフォルダ情報であるサブコード「＃００１００」とを含むＴＳＩ情報を示す。サブコード「＃００１００」のフォルダに、画像データは保存される。
【００８６】
また、命令コードのメインコード「＃＊＊００１」には、処理内容として、メインコードに続くサブコードで示される指定フォルダにあるデータ（画像データ）を、ファクシミリの発信元に送信する指定フォルダ返信処理が設定されている。この処理では、画像蓄積メモリ１９の所定の蓄積用フォルダに格納された当該ファクシミリ通信にて受信した画像データに対しては処理を実施せず、画像蓄積メモリ１９内の指定されている返信用フォルダに保存されている画像データを、発信元電話番号に送信する。図８（ｆ）に、このようなメインコード「＃＊＊００１」と、送信（返信）を希望する画像データが格納されているフォルダ情報であるサブコード「＃００５００」とを含むＴＳＩ情報を示す。サブコード「＃００５００」のフォルダにある画像データが、発信元へと送信される。
【００８７】
指定フォルダ返信処理を命じるメインコード「＃＊＊００１」の使い方としては、例えば、以下のような場合が考えられる。つまり、発信元から、複合機１のユーザに対して注文票の送信を要求する内容の画像データを送信し、ＴＳＩ情報に、このような指定フォルダ返信処理を命じるメインコード「＃＊＊００１」を含め、サブコードとして、注文票の画像データが格納されているフォルダを指定する。これにより、発信元は、複合機１のオペレータの手を煩わせることなく、注文票を受け取ると共に、注文票の送付を要求したことを、複合機１のオペレータ（複合機１のユーザ）に認識させることができる。他の例としては、通常は、フォルダ保存として利用している複合機１のフォルダの内容の送信を要求することで、内容の引き出しや、確認を行うことができる。
【００８８】
なお、図７の命令テーブル６は、命令コードとしてのメインコードと処理内容の一例を記載しているに過ぎず、命令コードは、発信元となるユーザとの間で、発信元電話番号やユーザ名が設定される、発信元を特定させるための情報欄としての利用と重複する可能性のあるコードを避けて、適宜設定すればよい。
【００８９】
また、図１０（ａ）（ｂ）に、メインコードに続くサブコードを複数設定し、発信元より、より高度な処理を指示する例を示す。
【００９０】
図１０（ａ）には、メインコード「＋＋＃００３」と、これに続く第１サブコード「＋＊１０００」と、さらにこれに続く第２サブコード「＊＊２＃＊１」とを含むＴＳＩ情報を示す。ここで、第２サブコード「＊＊２＃＊１」は、プリントするときの画像編集を指示しており、具体的には、２枚分の原稿画像を記録用紙１枚分に集約して記録する「２ｉｎ１」出力を指示している。
【００９１】
複合機１における処理決定部４は、命令コードにおいて、メインコードの後、或いはメインコードに続く第１サブコードの後に、このような第２サブコード、或いはさらに続く第３、第４のサブコードがある場合、メインコード、或いはメインコード＋第１サブコードにて示される処理内容に加えて、それ以降のサブコードで指定された処理を実施する。
【００９２】
プリントするときの画像編集としては、Ｎｉｎ１出力の他、ステープル指定、両名印刷して、出力用紙サイズ指定などが考えられる。
【００９３】
また、図１０（ｂ）には、メインコード「＋＃＃００２」と、これに続く第１サブコード「♯００１」と、さらにこれに続く第２、第３サブコード「♯００２」「♯００５」とを含むＴＳＩ情報を示す。ここで、第２、第３サブコード「♯００２」「♯００５」は、当該ファクシミリ通信にて受信した画像データを転送すべき、第２、第３の相手先の短縮番号が指定されており、複合機１における処理決定部４は、第２、第３サブコード「♯００２」「♯００５」に示される短縮番号「００２」「００５」の相手先にも、当該ファクシミリ通信にて受信した画像データを転送する。
【００９４】
次に、図１１のフローチャートを用いて、命令実施処理の手順について説明する。
【００９５】
複合機１は、図１１に示すように、待機状態において、主制御部１２は、着信があったかどうかをチェックし（ステップＳ１）、着信があったときは、発信元電話番号情報（ナンバーディスプレイ情報）、ＴＳＩ情報、画像データを受信する（ステップＳ２）。
【００９６】
次に、主制御部１２は、ＴＳＩ情報に命令コードが含まれているかどうかを判断し（ステップＳ３）、含まれていない場合は、複合機１に設定されている通常の画像データ処理を行う（ステップＳ７）。つまり、複合機１のファクシミリ受信した画像データの処理として、例えば、即刻プリントが設定されている場合は、プリンタ１６にて記録用紙に出力する。或いは、見てからプリントが設定されている場合は、ファクシミリを受信したことをユーザに報知する。
【００９７】
一方、ＴＳＩ情報に命令コードが含まれている場合は、続いて、主制御部１２は、取得した発信元電話番号情報が、第１発信元電話番号テーブル５に登録されているかどうかを判断し（ステップＳ４）、含まれていない場合は、前記したステップＳ７に移行し、複合機１に設定されている通常の画像データ処理を行う。
【００９８】
そして、主制御部１２は、取得した発信元電話番号情報が、第１発信元電話番号テーブル５に登録されている場合は、命令テーブル６を参照して、ＴＳＩ情報に含まれている命令コードの処理を決定し（ステップＳ５）、決定された処理（命令コードの命令に従った処理）を実行する（ステップＳ６）。決定された処理は、当該ファクシミリ通信にて受信した画像データに対する処理である場合もあれば、指定フォルダ返信処理のように、受信した画像データに対する処理に対する命令を含まない場合もある。
【００９９】
以上のように、本実施の形態の通信端末装置が前提としているファクシミリ通信システムにおいては、発信元電話番号通知サービスの提供により、受信側に発信元を知らせるといった役目のなくなったＴＳＩ情報を使って、発信元より、受信側の複合機１に対して、これから送信する画像データに対する処理など、受信側の複合機１にて実施させる処理を命令することが可能となる。
【０１００】
したがって、ファクシミリの発信元となるユーザと受信側となるユーザとの間で、受信側ユーザの有する通信端末装置である複合機１の機能に応じて、命令コードにて指定する処理を種々設定しておき、送信元のユーザは、例えばこれからファクシミリ送信しようとする情報の内容や重要性に応じて、受信側の通信端末装置である複合機１に対して、送信する画像データに実施させる処理をＴＳＩ情報にて命令する。これにより、受信側のユーザは、自らの手を煩わせることなく、受信した情報の内容や重要性に応じた仕分け作業を複合機１が自動で実施することとなり、非常に利便性の高いものとなる。
【０１０１】
しかも、テキストデータにて記載されるＴＳＩ情報を用いているので、カデンス回数を検出するための特別な手段を設ける必要がなく、また、ＴＳＩ情報を用いることで、数字にて電話番号を情報に含めることができるので、受信側の複合機１に電話番号が登録されていない相手先への転送も可能となる。また、２０桁で構成されるＴＳＩ情報を利用することで、受信側の通信端末装置が、多数の機能を備えた複合機であったとしても、送信側より、複合機の機能を使いこなすような処理命令も可能になる。
【０１０２】
以下、図１２〜２３を用いて、上記ファクシミリ通信システムにおける送信側の通信端末装置に適した、本実施の形態の通信端末装置である複合機２００について説明する。なお、ここでは別の複合機２００の機能として説明するが、上記複合機１が複合機２００と同様の機能を備えており、複合機１と同様の機能を有するさらに別の通信端末装置に対して、ＴＳＩ情報に命令コードを含めて送信する構成としてもよい。また、上記ファクシミリ通信システムにおける送信側の通信端末装置に適した通信端末装置は、複合機である必要はなく、ファクシミリ装置や、ファクシミリ通信の機能を備えたパーソナルコンピュータ等であってもよい。
【０１０３】
図１２に、送信側の複合機２００の回路ブロック図を示す。
【０１０４】
複合機２００は、主制御部２１２、システムメモリ２１３、パラメータメモリ２１４、スキャナ２１５、プリンタ２１６、網制御部２１７、モデム（ＮＣＵ：Network Control Unit）２１８、画像蓄積メモリ２１９、符号化・復号化部２２０、操作表示部２２１を備え、上記各部は、システムバス２２３により接続されている。
【０１０５】
スキャナ２１５、プリンタ２１６、網制御部２１７、モデム２１８、画像蓄積メモリ２１９、符号化・復号化部２２０の各機能は、前記した複合機１のスキャナ１５、プリンタ１６、網制御部１７、モデム１８、画像蓄積メモリ１９、符号化・復号化部２０の機能と同じであるので説明を省略し、複合機１の場合と機能が異なる部材についてのみ説明する。
【０１０６】
複合機１のシステムメモリ１３と同様、システムメモリ２１３も、ＲＯＭ（Read Only Memory）及びＲＡＭ（Random Access Memory）などで構成されており、複合機としての各種の基本処理プログラムと、これら基本処理プログラムを実行するのに必要な各種データ及びシステムデータが格納されている。
【０１０７】
そして、複合機２００では、命令実施処理プログラムに代えて命令指定処理プログラムが格納されている。命令指定処理プログラムとは、ファクシミリ送信時に、ファクシミリを送信する相手先の通信端末装置である前記複合機１にて実施させる処理を、送信元の通信端末装置である複合機２００が、ファクシミリのＴＳＩ情報として命令する処理プログラムである。これについては後述する。
【０１０８】
また、システムメモリ２１３は、主制御部２１２のワークメモリとしても利用され、主制御部２１２が、基本処理プログラム及び命令指定処理プログラムに基づいて複合機２００の各部を制御する際の演算途中の各種データや演算結果の各種データを記憶する。
【０１０９】
パラメータメモリ２１４は、ファクシミリ送信する相手先に関する情報、例えば、相手先名、相手先のファクシミリ番号等を記憶する。また、パラメータメモリ２１４は、命令指定処理を実施するファクシミリの送信先（相手先）の電話番号を記憶した命令指定許可電話番号テーブル２０３（図１５参照）を記憶すると共に、相手先の通信端末装置で実施させる処理内容と命令コードとを対応付けたコードテーブル（命令コード記憶部）２０２（図１４参照）等を記憶している。なお、相手先毎に処理内容と命令コードの対応付けが異なる場合や、相手先がグループ分けされており、グループ毎に処理内容と命令コードの対応付けが異なる場合は、相手先或いはグループ毎に、対応したコードテーブルを備えることとなる。
【０１１０】
操作表示部２２１も、複合機１の操作表示部２１と同様、テンキー、スタートキー及びワンタッチキー等の各種操作キーを備えるとともに、ディスプレイ（例えば、液晶ディスプレイ）を備え、操作キーからは、送信操作等の各種命令が入力され、ディスプレイには、操作キーから入力された命令内容や複合機２００から複合機２００のオペレータに通知する各種情報が表示される。
【０１１１】
主制御部２１２（ＴＳＩ情報入力指示部、ＴＳＩ情報設定部）は、ＣＰＵ（Central Processing Unit）などを備え、システムメモリ２１３内の基本処理プログラム及び命令指定処理プログラに基づいて、システムメモリ２１３をワークメモリとして利用しつつ複合機２００の各部を制御して、複合機２００としての基本処理を実行するとともに上記した命令指定処理を実行する。
【０１１２】
主制御部２１２は、操作表示部２２１を制御して、ファクシミリ送信時にユーザに当該ファクシミリにおいて送信するＴＳＩ情報を入力させ、ユーザが入力したＴＳＩ情報を当該ファクシミリのＴＳＩ情報として設定する。具体的には、操作表示部２２１を用いて、受信側の通信端末装置に実施させる処理を選択的に指定して受信側の通信端末装置に命令する処理を選択させる命令選択画面２５０（図１６参照）を表示し、ファクシミリの送信先の複合機１にて実施させたい処理を、当該複合機２００のオペレータに選択（指定）させる。そして、オペレータに選択された処理に対応した命令コードを、コードテーブル２０２を参照して生成し、ＴＳＩ情報として設定し、モデム２１８に送出する。
【０１１３】
また、命令コードが、図８（ａ）〜図８（ｆ）に示したように、処理の主たる処理内容を示すメインコード（主コード）と、メインコード示される処理を実施する上で必要に応じて付けられる１つ或いは複数のサブコード（副コード）とからなる場合であって、主制御部２１２は、命令選択画面２５０にて、サブコードの入力が必要な処理が選択されると、サブコードを生成するのに必要な詳細情報の入力を可能とする詳細情報入力画面を表示し、選択した処理の詳細情報を、当該複合機２００のオペレータに入力させる。そして、主制御部２１２、上記メインコードと、詳細情報入力画面にて入力された詳細情報に対応した副コードを含む命令コードを、コードテーブル２０２を参照して生成し、ＴＳＩ情報として設定し、これをモデム２１８に送出する。
【０１１４】
前記モデム(ＴＳＩ情報送信部)２１８は、相手先（送信先）の通信端末装置へファクシミリ通信を行うために、前述の図４に示したように、通信端末装置の能力交換手順を行う中で、相手先に、命令コードを含むＴＳＩ情報を送信する。
【０１１５】
図１３に、ファクシミリを送信する相手先の通信端末装置に対して実施を命令する処理をオペレータに選択させると共に、送信先の複合機１に選択された処理を命令する、命令指定処理を実施する、複合機２００の機能ブロック図を示す。
【０１１６】
ファクシミリ送信に際して、図１２の主制御部にて構成される操作表示制御部（ＴＳＩ情報入力指示部）２０４は、操作表示部２２１のディスプレイに、命令選択画面２５０（図１６参照）を表示し、複合機２００のオペレータに命令する処理を選択させる。ここで、操作表示制御部２０４は、命令指定許可電話番号テーブル２０３を参照して、命令指定可能な相手先かがどうかを確認し、命令指定可能な相手先である場合にのみ、命令選択画面２５０（図１５参照）を表示する。
【０１１７】
図１２の主制御部にて構成されるＴＳＩ情報設定部２０１は、オペレータが選択した処理命令の情報を操作表示制御部２０４より受け取り、パラメータメモリ２１４に格納されているコードテーブル２０２（図１４参照）を参照して、命令コードを生成し、ＴＳＩ情報として設定する。
【０１１８】
ＴＳＩ情報設定部２０１にて設定されたＴＳＩ情報を、図１２のモデム２１８にて構成されるＴＳＩ情報送信部２０５が、相手先の通信端末装置との能力交換手順を行う中で送信する。
【０１１９】
図１４に、コードテーブル２０２の一例を示す。図１４に示すように、処理内容と、命令コードがテーブル形式で設定されており、処理によってメインコードの他、その詳細処理を設定するサブコードが設定されている。このコードテーブル２０２は、複合機２００の操作表示部２２１のキー操作により設定することができ、また、その設定内容の変更及び消去を行うことができる。
【０１２０】
なお、図１４に設定されている命令コード（メインコード、サブコード）と、命令処理との関係については、受信側の通信端末装置である複合機１にて実施される命令実施処理の説明において既に説明しているので、これ以上の説明は省略する。
【０１２１】
図１５に、命令指定許可電話番号テーブル２０３の一例を示す。命令指定許可電話番号テーブル２０３には、命令指定処理の対象となる送信先（換言すれば、命令実施処理を行うことができる通信端末装置を備えている相手先）の電話番号が格納されている。この命令指定許可電話番号テーブル２０３は、図１２の操作表示部２２１のキー操作により設定することができ、また、その内容の変更及び消去を行うことができる。
【０１２２】
なお、短縮番号「００１」、「００２」…などを割り当てて、電話番号を含む相手先情報を管理する相手先情報管理テーブルを備えている構成においては、命令指定許可電話番号テーブル２０３に代えて、該管理テーブルにおいて、登録されているユーザ毎（相手先電話番号毎）に、命令指定処理の対象であるかどうかを設定するようにしてもよい。
【０１２３】
図１６に、命令選択画面２５０の表示例を示す。複合機２００のオペレータが、ファクシミリ送信を選択すると、操作表示制御部２０４が、この命令選択画面２５０を表示し、オペレータに命令する処理の選択を促す。なお、ここでは、操作表示制御部２０４が、ファクシミリ送信を選択すると、操作表示制御部２０４がこの命令選択画面２５０を自動的に表示する構成としているが、命令選択画面２５０を表示させるキーを操作表示部２２１に設けておき、このキーが押されたときに、命令選択画面２５０を表示する構成としてもよい。
【０１２４】
命令選択画面２５０には、これからファクシミリ送信する画像データに対して、上述した即時プリント処理を命令することができる即時プリントキー２５０−１、時刻指定プリント処理を命令することができる時刻指定プリントキー２５０−２、期間保持プリント処理を命令することができる期間保持プリントキー２５０−３が表示されている。
【０１２５】
また、命令選択画面２５０には、これからファクシミリ送信する画像データに対して、見てからプリント処理を命令することができる、見てからプリントキー２５０−４、上述した転送処理を命令することができる転送キー２５０−５、ファイリング保存処理を命令することができるファイリング保存キー２５０−６が表示されている。
【０１２６】
また、命令選択画面２５０には、これからファクシミリ送信する画像データに対する処理には関係なく、ファクシミリを受信することで、指定されたフォルダの画像データを返信させる、フォルダ返信処理を命令することができる指定フォルダ返信キー２５０−７が表示されている。
【０１２７】
さらに、命令選択画面２５０には、命令直接入力キー２５０−８も表示されている。命令直接入力キー２５０−８は、命令コード（メインコード及びサブコード）を直接手入力できるキーであり、このキー２５０−８を押下すると、後述する直接入力の詳細情報入力画面（命令コード入力画面）２５５（図２１参照）に遷移する。
【０１２８】
命令選択画面２５０に表示されている８つの命令選択のためのキー２５０−１〜２５０−８のうち、即時プリントキー２５０−１と見てからプリントキー２５０−４とは、キーを押下し、そのあと、画面２５０の右上のＯＫキー２５０−９を押下することで、命令する処理の選択が完了する。これにより、ＴＳＩ情報設定部２０１は、図１４に示す「＋＋＃００１」をＴＳＩ情報として設定する。
【０１２９】
一方、時刻指定プリントキー２５０−２、期間保持プリントキー２５０−３、転送キー２５０−５、ファイリング保存キー２５０−６、指定フォルダ返信キー２５０−７、及び命令直接入力キー２５０−８については、キーを押下すると、サブコードを生成するのに必要な詳細情報の入力を可能とする詳細情報入力画面に遷移する。
【０１３０】
図１７に、時刻指定プリントキー２５０−２を押下することで表示される時刻指定プリントの詳細情報入力画面２５１を示す。画面２５１では、△▽キー２５１−３〜２５１−５の操作で、プリントアウトさせる時刻を指定する。ＡＭ，ＰＭの選択で、図１４に示す「＋＊」「＊＋」の何れかが決まり、「○○時」「○○分」として表示される数字により、サブコードの「＋＊」「＊＋」に続く４つの数字が決まる。
【０１３１】
画面２５１に必要な情報を入力した後、画面２５１の右上のＯＫキー２５１−１を押下することで、命令する処理の選択が完了する。これにより、図１７の画面２５１の設定内容であれば、ＴＳＩ情報設定部２０１は、図１４に示す「＋＋＃００２」に「＋＊」と、４桁の数字である「１０００」とを加えた、「＋＋＃００２＋＊１０００」を、ＴＳＩ情報として設定する。なお、画面２５１の右上のキャンセルキー２５１−２を押下することで、入力した情報をキャンセルし、画面２５１をデフォルトが表示された初期表示に戻すことができる。初期表示の状態でもう一度、キャンセルキー２５１−２を押下することで、表示を命令選択画面２５０に戻し、処理命令を選択しなおすことができる。
【０１３２】
図１８に、期間保持プリントキー２５０−３を押下することで表示される期間保持プリントの詳細情報入力画面２５２を示す。画面２５２では、△▽キー２５２−３の操作で、プリントアウトさせるまで待機する保持日数を指定する。
【０１３３】
画面２５２に必要な情報を入力した後、画面２５２の右上のＯＫキー２５２−１を押下することで、命令する処理の選択が完了する。これにより、図１８の画面２５２の設定内容であれば、ＴＳＩ情報設定部２０１は、図１４に示す「＋＋＃００３」に「♯＊＊」と、２桁の数字である「０６」とを加えた、「＋＋＃００３＃＊＊０６」を、ＴＳＩ情報として設定する。なお、この画面２５２でも、画面２５２の右上のキャンセルキー２５２−２を押下することで、入力した情報はキャンセルされ、また、デフォルトが表示された初期表示の状態でキャンセルキー２５２−２を押下することで、表示が命令選択画面２５０に戻る。
【０１３４】
図１９に、転送キー２５０−５を押下することで表示される転送の詳細情報入力画面２５３を示す。この画面２５３には、「０〜９」までの数字と「＋」「＃」とを入力できるキー群２５３−３が表示される。キー群２５３−３を使って、転送先の電話番号、或いは短縮番号を入力する。入力した文字列は、キー群２５３−３の横の表示領域２５３−４に表示される。
【０１３５】
画面２５３に必要な情報を入力した後、画面２５３の右上のＯＫキー２５３−１を押下することで、命令する処理の選択が完了する。これにより、図１９の画面２５３の設定内容であれば、ＴＳＩ情報設定部２０１は、図１４に示す「＋＃＃００１」に「０６・・・・４５６７」を加えた、「＋＃＃００１０６・・・・４５６７」を、ＴＳＩ情報として設定する。なお、この画面２５３でも、画面２５３の右上のキャンセルキー２５３−２を押下することで、入力した情報はキャンセルされ、また、デフォルトが表示された初期表示の状態でキャンセルキー２５３−２を押下することで、表示が命令選択画面２５０に戻る。
【０１３６】
図２０に、ファイリング保存キー２５０−６、或いは指定フォルダ返信キー２５０−７を押下することで表示されるフォルダＩＤ入力の詳細情報入力画面２５４を示す。この画面２５４には、「０〜９」までの数字を入力できるキー群２５４−３が表示される。キー群２５４−３を使って、送信する画像データを保存させるフォルダＩＤ、或いは返信を希望する画像データが格納されているフォルダＩＤを指定するための５桁の数字列を入力する。入力した数字列は、キー群２５４−３の横の表示領域２５４−４に表示される。
【０１３７】
画面２５４に必要な情報を入力した後、画面２５４の右上のＯＫキー２５４−１を押下することで、命令する処理の選択が完了する。ファイリング保存キー２５０−６が押下されて画面２５４が表示されている場合で、図２０の画面２５４の設定内容であれば、ＴＳＩ情報設定部２０１は、図１４に示す「＃＃＊００１」に「＃００１００」を加えた、「＃＃＊００１＃００１００」を、ＴＳＩ情報として設定する。なお、「＃００１００」における「＃」は、フォルダＩＤ入力の詳細情報入力画面２５４において数字列が入力された場合に、自動で付されるようになっている。
【０１３８】
一方、指定フォルダ返信キー２５０−７が押下されて画面２５４が表示されている場合で、図２０の画面２５４の設定内容であれば、ＴＳＩ情報設定部２０１は、図１４に示す「＃＊＊００１」に「＃００１００」を加えた、「＃＊＊００１＃００１００」を、ＴＳＩ情報として設定する。
【０１３９】
なお、この画面２５４でも、画面２５４の右上のキャンセルキー２５４−２を押下することで、入力した情報はキャンセルされ、また、デフォルトが表示された初期表示の状態でキャンセルキー２５４−２を押下することで、表示が命令選択画面２５０に戻る。
【０１４０】
図２１に、命令直接入力キー２５０−８を押下することで表示される直接入力の詳細情報入力画面２５５を示す。この画面２５５には、「０〜９」までの数字と、「＋」、「＊」、「＃」及び「  （スペース）」を入力できるキー群２５５−３が表示される。キー群２５５−３を使って入力した数字や記号は、キー群２５５−３の横の表示領域２５５−４に表示される。
【０１４１】
オペレータは、表示領域２５５−４の内容を確認した上で、問題なければ、画面２５５右上のＯＫキー２５５−１を押下する。これにより、処理命令の選択が完了する。図２１の画面２５５の設定内容であれば、ＴＳＩ情報設定部２０１は、「＋＋＃００２＋＊１０００」を、ＴＳＩ情報として設定する。ここで設定したＴＳＩ情報「＋＋＃００２＋＊１０００」は、図１７の時刻指定プリントの詳細情報入力画面２５１で設定した、ＡＭ１０：００に印刷する処理命令と同じである。
【０１４２】
時刻指定プリントなどは、命令選択画面２５の時刻指定プリントキー２５０−２を押下したあと、詳細情報入力画面２５１にて、午前、午後の選択、時：分の入力が必要となる。メインコード＋サブコードの命令コードを暗記していないオペレータの場合、紙に印刷された命令コード表等を確認しながら命令コードを直接入力する作業に比べて、詳細情報入力画面２５１を用いて詳細情報を入力する作業は簡単であり、入力が支援される。しかしながら、命令コードを熟知したオペレータにとっては、詳細情報入力画面２５１による詳細情報の入力は、逆に煩わしい操作となる。
【０１４３】
しかしながら、命令選択画面２５０に、命令直接入力キー２５０−８を設けておき、命令コード入力画面を表示させることで、命令コードを熟知したユーザにとっては、１ステップで命令を指定できるようになり、利便性が向上する。
【０１４４】
なお、この画面２５５でも、画面２５５の右上のキャンセルキー２５５−２を押下することで、入力した情報はキャンセルされ、また、デフォルトが表示された初期表示の状態でキャンセルキー２５５−２を押下することで、表示が命令選択画面２５０に戻る。
【０１４５】
次に、図２２のフローチャートを用いて、命令指定処理の手順について説明する。
【０１４６】
複合機２００は、図２１に示すように、待機状態において、ファクシミリ送信が指示され、相手先の電話番号が入力されると（ステップＳ２１）、主制御部２１２である操作表示制御部２０４は、命令指定許可電話番号テーブル２０３を参照して、命令指定可能な相手先かがどうかを確認する（ステップＳ２２）。命令指定可能な相手先である場合には、命令選択画面２５０を表示し（ステップＳ２３）、オペレータに命令する処理の選択を促す。なお、命令指定許可電話番号テーブル２０３に登録されていない相手先である場合には、ステップＳ２８に抜け、通常のファクシミリ送信処理を行う。このときのＴＳＩ情報としては、例えば、自己の電話番号としてもよい。
【０１４７】
命令選択画面２５０を表示している状態で、８つの命令選択のためのキー２５０−１〜２５０−８のうちの何れかが押下され、続けてＯＫ−キーが押下されると、命令選択有りと判断する（ステップＳ２４）。そして、押下されたキーが、即時プリントキー２５０−１、或いは見てからプリントキー２５０−４の場合は、詳細情報入力画面は表示されないので、そのままステップＳ２６に進む。一方、押下されたキーが、時刻指定プリントキー２５０−２、期間保持プリントキー２５０−３、転送キー２５０−５、ファイリング保存キー２５０−６、指定フォルダ返信キー２５０−７、命令直接入力キー２５０−８の場合は、選択されたキーに応じた詳細情報入力画面を表示し（ステップＳ３０）、オペレータに詳細情報の入力を促す。
【０１４８】
なお、命令選択画面２５０を表示している状態で、キャンセルキー２５０−１０が押下されると、ステップＳ２２で、命令指定可能な相手先でなかったと判断した場合と同様に、ステップＳ２８に抜け、通常のファクシミリ送信処理を行う。
【０１４９】
詳細情報入力画面２５１〜２５５を表示している状態で、詳細情報が入力され、続けてＯＫ−キーが押下されると、詳細情報入力完了と判断し（ステップＳ３１）、ステップＳ２６に進む。
【０１５０】
ステップＳ２６では、命令選択画面２５０で選択されたキー、或いは、命令選択画面２５０で選択されたキーと、詳細情報入力画面にて入力された詳細情報とを基に、ＴＳＩ情報設定部２０１が、コードテーブル２０２を参照して、命令コードを作成する。そして、ＴＳＩ情報設定部２０１が、ステップＳ２６で設定された命令コードをＴＳＩ情報として設定し（ステップＳ２７）、ファクシミリ送信処理に入り、モデム２１８にて構成されるＴＳＩ情報送信部２０５が、ＴＳＩ情報を送信する（ステップＳ２８）。
【０１５１】
なお、図２２のフローチャートでは、記載していないが、命令選択画面２５０にて命令直接入力キー２５０−８が押下され、詳細情報入力画面２５５にて、命令コードが直接入力された場合は、ステップＳ２６はスキップして、ステップＳ２７に進むこととなる。また、詳細情報入力画面を表示している状態で、キャンセルキーが押下されると、ステップＳ２３に戻り、操作表示制御部２０４は、命令選択画面２５０を表示する。
【０１５２】
図２３、図２４に、命令指定処理で設定したＴＳＩ情報の一例の一覧を示す。これにおいては、命令コードであるメインコード、必要に応じて設定されるサブコード、及び作成される命令コードであるＴＳＩ情報を示している。
【０１５３】
以上のように、従来の通信端末装置では、初期設定画面等で入力設定するようになっており、ファクシミリの送信時に、入力設定できるようになっていなかったＴＳＩ情報を、本実施形態の通信端末装置である複合機２００では、命令選択画面２５０等を用いて、ファクシミリの送信毎に簡単に設定することができる。
【０１５４】
これにより、ファクシミリの送信元から受信側の通信端末装置に対して実施すべき処理をＴＳＩ情報を用いて命令する、本願出願人が先に提案している新規なファクシミリ通信システムに適した、使い勝ってのよい通信端末装置としての複合機を提供することができる。
［実施の形態２］
本発明の他の実施形態について、図１、図２５〜図２７に基づいて説明すれば、以下のとおりである。なお、説明の便宜上、前記実施の形態１にて説明した図面と同じ機能を有する部材については、同じ符号を付記し、その説明を省略する。
【０１５５】
本実施の形態の複合機と、実施の形態１の複合機１との違いは、本実施の形態の複合機では、ＴＳＩ情報にアルファベットが使用でき、命令実施処理を行うファクシミリの送信先の通信端末装置である複合機も、ＴＳＩ情報としてアルファベットを使用できる点である。
【０１５６】
前述したように、機種によっては、ＴＳＩ情報としてアルファベットを使えるものがある。アルファベットを使える機種においては、アルファベットを利用することで、命令コードがより短い桁数にて作成できるので、より多くかつより複雑な処理であっても、命令コードにて指示することが可能になる。
【０１５７】
図２５に、送信先の通信端末装置である複合機に格納されている、アルファベットを利用した命令コードと処理内容とを定めた命令テーブル６’の内容例を示す。また、図２６（ａ）〜（ｆ）に、アルファベットを用いた利用した命令コードよりなるＴＳＩ情報の具体例を示す。
【０１５８】
命令コードのメインコード「Ａ００１」には、処理内容として、即時プリント処理が設定されている。命令コードのメインコード「Ａ００２」には、処理内容として、続くサブコードで示される時刻にプリントする処理（時刻指定プリント処理）が設定されている。図２６（ａ）に、このようなメインコード「Ａ００２」とプリント時刻を指定するサブコード「ＡＭ１０００」とを含むＴＳＩ情報を示す。サブコード「ＡＭ１０００」に従って、午前１０：００にプリントされる。
【０１５９】
命令コードのメインコード「Ａ００３」には、処理内容として、サブコードで示される日数待機した後プリントする（期間保持プリント）処理が設定されている。図２６（ｂ）に、このようなメインコード「Ａ００３」と待機時間を指定するサブコード「Ｄ０００６」とを含むＴＳＩ情報を示す。サブコード「Ｄ０００６」に従って、受信日より６日間待機した後、プリントされる。
【０１６０】
命令コードのメインコード「Ａ００４」には、処理内容として、見てからプリントが設定されている。命令コードのメインコード「Ｂ００１」には、処理内容として、サブコードで示される電話番号に転送する処理が設定されている。図２６（ｃ）に、このようなメインコード「Ｂ００１」と転送先の電話番号であるサブコード「０１２３４５６７８９」とを含むＴＳＩ情報を示す。サブコード「０１２３４５６７８９」の電話番号に、画像データは転送される。
【０１６１】
命令コードのメインコード「Ｂ００２」には、処理内容として、サブコードで示される短縮番号に転送する処理が設定されている。図２６（ｄ）に、このようなメインコード「Ｂ００２」と転送先の短縮番号であるサブコード「♯００１」とを含むＴＳＩ情報を示す。サブコード「♯００１」が示す短縮番号「００１」の相手先に、画像データは転送される。
【０１６２】
命令コードのメインコード「Ｃ００１」には、処理内容として、サブコードで示されるフォルダに画像ファイリングする処理が設定されている。図２６（ｅ）に、このようなメインコード「Ｃ００１」と保存先のフォルダ情報であるサブコード「ＩＤ００１００」とを含むＴＳＩ情報を示す。サブコード「ＩＤ００１００」のフォルダに、画像データは保存される。
【０１６３】
また、命令コードのメインコード「Ｄ００１」には、処理内容として、サブコードで示されるフォルダにあるデータ（画像データ）を、ファクシミリの発信元に送信する、返信処理が設定されている。図２６（ｆ）に、このようなメインコード「Ｄ００１」と、送信（返信）を希望する画像データが格納されているフォルダ情報であるサブコード「ＩＤ００５００」とを含むＴＳＩ情報を示す。サブコード「ＩＤ００５００」のフォルダにある画像データが、発信元へと送信される。
【０１６４】
ファクシミリの送信元の通信端末装置である本実施形態の複合機においては、コードテーブルとして、アルファベットを用いた図２５に示す命令コードに対応したものを備える。また、命令選択画面２５０等は、複合機２００と同様であるが、命令直接入力キー２５０−８を操作して表示される詳細情報入力画面が、図２７に示すような、アルファベットを入力できるキー群２５６−３が表示される。
【０１６５】
上記各実施形態において、複合機２００、実施形態２の送信元の複合機に備えられる、ＴＳＩ情報設定部２０１、操作表示制御部２０４は、ＣＰＵ等のプロセッサを用いてソフトウェアによって実現される。すなわち、複合機２００、実施形態２の送信元の複合機は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである複合機２００、実施形態２の送信元の複合機の制御プログラムのプログラムコード（実行形式プログラム、中間コードプログラム、ソースプログラム）をコンピュータで読み取り可能に記録した記録媒体を、複合機２００、実施形態２の送信元の複合機に供給し、そのコンピュータ（またはＣＰＵやＭＰＵ）が記録媒体に記録されているプログラムコードを読み出し実行することによって達成される。
【０１６６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６７】
また、複合機２００、実施形態２の送信元の複合機を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６８】
また、複合機２００、実施形態２の送信元の複合機における、ＴＳＩ情報設定部２０１、操作表示制御部２０４は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１７０】
２００            複合機（通信端末装置）
２０１            ＴＳＩ情報設定部
２０２            コードテーブル（命令コード記憶部）
２０３            命令指定許可電話番号テーブル
２０４            操作表示制御部（ＴＳＩ情報入力指示部）
２２１            操作表示部
２５０            命令選択画面
２５１〜２５５    詳細情報入力画面
【図１】
2011234313.tif 000003
【図２】
2011234313.tif 000004
【図３】
2011234313.tif 000005
【図４】
2011234313.tif 000006
【図５】
2011234313.tif 000007
【図６】
2011234313.tif 000008
【図７】
2011234313.tif 000009
【図８】
2011234313.tif 000010
【図９】
2011234313.tif 000011
【図１０】
2011234313.tif 000012
【図１１】
2011234313.tif 000013
【図１２】
2011234313.tif 000014
【図１３】
2011234313.tif 000015
【図１４】
2011234313.tif 000016
【図１５】
2011234313.tif 000017
【図１６】
2011234313.tif 000018
【図１７】
2011234313.tif 000019
【図１８】
2011234313.tif 000020
【図１９】
2011234313.tif 000021
【図２０】
2011234313.tif 000022
【図２１】
2011234313.tif 000023
【図２２】
2011234313.tif 000024
【図２３】
2011234313.tif 000025
【図２４】
2011234313.tif 000026
【図２５】
2011234313.tif 000027
【図２６】
2011234313.tif 000028
【図２７】
2011234313.tif 000029